(57)【特許請求の範囲】
【請求項１】
１または複数の表示窓を備える表示部と、開口部を備えるアウターケースと、
前記アウターケース内に収容された電池セルと、
前記アウターケース内に収容されており、前記１または複数の表示窓に対応する１または複数の発光素子が搭載された基板と、
前記アウターケース内に収容されており、前記開口部と前記１または複数の発光素子の間を遮るように配置された遮光壁と、
前記アウターケース内に収容された導光部材を備えており、
前記導光部材が、前記１または複数の発光素子および前記１または複数の表示窓に対応する１または複数の透光部材と、遮光部材を備えており、
前記１または複数の透光部材のそれぞれが、前記１または複数の発光素子のうちの１つが発光した光が入射する受光面と、前記受光面から入射した光を前記１または複数の表示窓のうちの１つに照射する投光面を備えており、
前記遮光部材の一部が、前記遮光壁を構成しており、
前記遮光部材が、
互いに隣接する前記透光部材の間を遮るように配置された区分壁と、
互いに隣接する前記発光素子の間を遮るように前記区分壁から伸びる延長壁を備えており、
前記発光素子が、前記基板の前記開口部と対向する第１の面の反対側の第２の面に搭載されており、
前記導光部材が、前記遮光壁が前記基板の前記第１の面に当接し、かつ前記延長壁が前記基板の前記第２の面に当接することで、前記基板の端部に係合する、電池パック。
【請求項２】
１または複数の表示窓を備える表示部と、開口部を備えるアウターケースと、
前記アウターケース内に収容された電池セルと、
前記アウターケース内に収容されており、前記１または複数の表示窓に対応する１または複数の発光素子が搭載された基板と、
前記アウターケース内に収容されており、前記開口部と前記１または複数の発光素子の間を遮るように配置された遮光壁と、
前記アウターケース内に収容された導光部材と、
前記アウターケース内に収容されており、前記電池セル、前記基板および前記導光部材を保持するセルケースを備えており、
前記導光部材が、前記１または複数の発光素子および前記１または複数の表示窓に対応する１または複数の透光部材と、遮光部材を備えており、
前記１または複数の透光部材のそれぞれが、前記１または複数の発光素子のうちの１つが発光した光が入射する受光面と、前記受光面から入射した光を前記１または複数の表示窓のうちの１つに照射する投光面を備えており、
前記遮光部材の一部が、前記遮光壁を構成しており、
前記遮光部材にリブが形成されており、
前記セルケースに前記リブに対応するガイド溝が形成されており、
前記導光部材を前記セルケースに取り付けたときに、前記リブが前記ガイド溝内に収容される、電池パック。
【請求項３】
１または複数の表示窓を備える表示部と、開口部を備えるアウターケースと、
前記アウターケース内に収容された電池セルと、
前記アウターケース内に収容されており、前記１または複数の表示窓に対応する１または複数の発光素子が搭載された基板と、
前記アウターケース内に収容されており、前記開口部と前記１または複数の発光素子の間を遮るように配置された遮光壁と、
前記アウターケース内に収容された導光部材を備えており、
前記導光部材が、前記１または複数の発光素子および前記１または複数の表示窓に対応する１または複数の透光部材と、遮光部材を備えており、
前記１または複数の透光部材のそれぞれが、前記１または複数の発光素子のうちの１つが発光した光が入射する受光面と、前記受光面から入射した光を前記１または複数の表示窓のうちの１つに照射する投光面を備えており、
前記遮光部材の一部が、前記遮光壁を構成しており、
前記１または複数の透光部材のそれぞれにおいて、前記投光面が前記受光面に対して傾斜している、電池パック。
【請求項４】
前記遮光部材が、前記１または複数の透光部材と一体的に形成されている、請求項１から３の何れか一項の電池パック。
【請求項５】
前記開口部が、前記アウターケースの、前記電池パックを充電器、電動工具または電子機器に取り付けた場合に前記充電器と対向する面に形成されている、請求項１から４の何れか一項の電池パック。
【請求項６】
前記開口部が、前記アウターケースの、前記電池パックを充電器、電動工具または電子機器に取り付けた場合に外部から視認可能な位置に形成されている、請求項１から４の何れか一項の電池パック。
【請求項７】
前記電池パックを平面視したときに、前記開口部が前記１または複数の発光素子と前記１または複数の表示窓の間に位置している、請求項１から４の何れか一項の電池パック。
【発明の詳細な説明】
【技術分野】
【０００１】
本明細書によって開示される技術は、電池パックに関する。
【背景技術】
【０００２】
特許文献１に、電池パックが開示されている。その電池パックは、複数の表示窓を備える表示部と、開口部を備えるアウターケースと、前記アウターケース内に収容された電池セルと、前記アウターケース内に収容されており、前記複数の表示窓に対応する複数の発光素子が搭載された基板を備えている。
【先行技術文献】
【特許文献】
【０００３】
【特許文献１】特開２０１４−２０３７０２号
【発明の概要】
【発明が解決しようとする課題】
【０００４】
上記のような電池パックにおいては、複数の表示窓のうち少なくとも１つを点灯させるために対応する発光素子を発光させたときに、発光素子からの光がアウターケースの開口部から外部へ漏れ出てしまうおそれがある。本明細書では、発光素子からの光がアウターケースの開口部から外部へ漏れ出ることを防ぐことが可能な技術を提供する。
【課題を解決するための手段】
【０００５】
本明細書は、電池パックを開示する。その電池パックは、１または複数の表示窓を備える表示部と、開口部を備えるアウターケースと、前記アウターケース内に収容された電池セルと、前記アウターケース内に収容されており、前記１または複数の表示窓に対応する１または複数の発光素子が搭載された基板と、前記アウターケース内に収容されており、前記開口部と前記１または複数の発光素子の間を遮るように配置された遮光壁を備えている。
【０００６】
上記の電池パックによれば、１または複数の発光素子と開口部の間が遮光壁によって遮られているので、１または複数の表示窓のうち少なくとも１つを点灯させるために対応する発光素子を発光させたときに、発光素子からの光がアウターケースの開口部から外部へ漏れ出てしまうことを防ぐことができる。
【図面の簡単な説明】
【０００７】
【図１】実施例の電池パック２を前方上方から見た斜視図である。
【図２】実施例の電池パック２を充電器４に取り付けた状態を示す斜視図である。
【図３】実施例の電池モジュール６を前方上方から見た斜視図である。
【図４】実施例の電池パック２の前方上方から見た斜視断面図である。
【図５】実施例の導光部材２２を前方上方から見た斜視図である。
【図６】実施例の導光部材２２を後方下方から見た斜視図である。
【図７】比較例における表示窓５６の表示の例を示す図である。
【図８】実施例における表示窓５６の表示の例を示す図である。
【図９】実施例の導光部材２２を電池モジュール６に取り付けた状態を前方上方から見た斜視図である。
【図１０】実施例の導光部材２２を電池モジュール６に取り付けた状態を後方下方から見た斜視図である。
【図１１】実施例の導光部材２２を電池パック２に取り付けた状態を前方上方から見た斜視断面図である。
【図１２】変形例の電池パック２を充電器４に取り付けた状態を示す斜視図である。
【発明を実施するための形態】
【０００８】
幾つかの実施形態に係る電池パックは、前記アウターケース内に収容された導光部材をさらに備えている。前記導光部材は、前記１または複数の発光素子および前記１または複数の表示窓に対応する１または複数の透光部材と、遮光部材を備えている。前記１または複数の透光部材のそれぞれは、前記１または複数の発光素子のうちの１つが発光した光が入射する受光面と、前記受光面から入射した光を前記１または複数の表示窓のうちの１つに照射する投光面を備えている。前記遮光部材の一部は、前記遮光壁を構成している。
【０００９】
仮に、１または複数の発光素子のうちの１つが発光した光が直接的に１または複数の表示窓のうちの１つに照射される構成とすると、点灯している表示窓は、中央が明るく、周縁に向かうにつれて徐々に暗くなるように点灯する。これに対して、上記の電池パックのように、１または複数の発光素子のうちの１つが発光した光が、対応する透光部材を経由して、１または複数の表示窓のうちの１つに照射される構成とすると、点灯している表示窓は、全体が均一な明るさとなるように点灯する。上記の電池パックによれば、表示部の視認性をより向上させることができる。
【００１０】
幾つかの実施形態に係る電池パックでは、前記遮光部材が、前記１または複数の透光部材と一体的に形成されている。
【００１１】
上記の電池パックによれば、部品点数を削減し、組立作業性を向上することができる。
【００１２】
幾つかの実施形態に係る電池パックでは、前記遮光部材は、互いに隣接する前記透光部材の間を遮るように配置された区分壁を備えている。
【００１３】
上記の電池パックによれば、ある発光素子から対応する透光部材へ入射した光が、隣接する透光部材へ漏れ出てしまうことを防ぐことができる。
【００１４】
幾つかの実施形態に係る電池パックでは、前記遮光部材は、互いに隣接する前記発光素子の間を遮るように前記区分壁から伸びる延長壁をさらに備えている。
【００１５】
上記の電池パックによれば、ある発光素子が発光した光が、その発光素子に対応する透光部材とは別の透光部材に入射してしまうことを防ぐことができる。
【００１６】
幾つかの実施形態に係る電池パックでは、前記発光素子は、前記基板の前記開口部と対向する第１の面の反対側の第２の面に搭載されている。前記導光部材は、前記遮光壁が前記基板の前記第１の面に当接し、かつ前記延長壁が前記基板の前記第２の面に当接することで、前記基板の端部に係合する。
【００１７】
上記の電池パックによれば、基板に対する導光部材の位置ずれを防止することができる。
【００１８】
幾つかの実施形態に係る電池パックは、前記アウターケース内に収容されており、前記電池セル、前記基板および前記導光部材を保持するセルケースをさらに備えている。前記遮光部材にはリブが形成されている。前記セルケースには前記リブに対応するガイド溝が形成されている。前記導光部材を前記セルケースに取り付けたときに、前記リブは前記ガイド溝内に収容される。
【００１９】
上記の電池パックによれば、導光部材をセルケースに対して正確に位置決めできるとともに、導光部材とセルケースの位置ずれを防止することができる。
【００２０】
幾つかの実施形態に係る電池パックでは、前記１または複数の透光部材のそれぞれにおいて、前記受光面が前記投光面に対して傾斜している。
【００２１】
上記の電池パックによれば、発光素子の中心と表示窓の中心を通る直線に対して表示窓が傾斜している場合であっても、表示窓を均一な明るさで点灯させることができる。表示部の視認性をより向上させることができる。
【００２２】
幾つかの実施形態に係る電池パックでは、前記開口部は、前記アウターケースの、前記電池パックを充電器に取り付けた場合に前記充電器と対向する面に形成されている。
【００２３】
幾つかの充電器では、電池パックを充電器に取り付けて電池パックを充電する際に、電池パックのアウターケースの内部に充電器から送風して電池セルを冷却する。上記の電池パックでは、このような充電器を用いて充電する際の送風のためにアウターケースに設けられた開口部から、発光素子の光が漏れ出てしまうことを防ぐことができる。
【００２４】
幾つかの実施形態に係る電池パックでは、前記開口部が、前記アウターケースの、前記電池パックを充電器、電動工具または電子機器に取り付けた場合に外部から視認可能な位置に形成されている。
【００２５】
上記の電池パックによれば、電池パックを充電器、電動工具または電子機器に取り付けた時に外部から視認可能な位置に形成されている開口部から、発光素子の光が漏れ出てしまうことを防ぐことができる。
【００２６】
幾つかの実施形態に係る電池パックでは、前記電池パックを平面視したときに、前記開口部が前記複数の発光素子と前記複数の表示窓の間に位置している。
【００２７】
電池パックを平面視したときに、開口部が発光素子と表示窓の間に位置していると、発光素子の光が開口部から漏れやすくなる。上記の電池パックによれば、開口部がこのような位置に配置されている場合でも、発光素子からの光が開口部から漏れ出てしまうことを防ぐことができる。
【００２８】
（実施例）
以下では図面を参照しながら、実施例の電池パック２について説明する。図１に示す電池パック２は、例えば電動ドリル、電動ドライバ、電動グラインダ、電動マルノコ、電動チェーンソー、電動レシプロソー、電動芝刈り機、電動刈払機、電動ブロア等の電動工具（図示せず）に、着脱可能に取り付けることができる。電動工具に取り付けられると、電池パック２は、電動工具に電力を供給する。また、電池パック２は、図２に示すように、充電器４に着脱可能に取り付けることができる。図２では、電池パック２は、図１とは上下が反転して図示されていることに留意されたい。充電器４に取り付けられると、電池パック２は、充電器４から電力を供給される。なお、以下の説明では、電動工具や充電器４に取り付けられた時に、電池パック２から見て電動工具や充電器４が位置する方向を上方といい、その反対方向を下方という。また、電動工具や充電器４に取り付けられる時に、電池パック２をスライドさせる方向を前方といい、電動工具や充電器４から取り外される時に、電池パック２をスライドさせる方向を後方という。
【００２９】
電池パック２は、電池モジュール６（図３参照）と、電池モジュール６を収容するアウターケース８を備えている。アウターケース８は、全体が略直方体形状に形成されており、上部ケース１０と、下部ケース１２に分割されている。上部ケース１０と下部ケース１２は、ボルト等の締結具によって互いに固定されている。
【００３０】
図３に示すように、電池モジュール６は、複数の電池セル１４（図４参照）を収容するセルケース１６と、制御基板１８と、ボタン基板２０と、導光部材２２を備えている。本実施例では、それぞれの電池セル１４は、一方の端部に正極が形成され、他方の端部に負極が形成された、円筒形状の二次電池セル、例えばリチウムイオン電池セルである。それぞれの電池セル１４は、隣接する電池セル１４において正極から負極への向きが互いに逆方向となるように、前後方向に並んで配置されている。それぞれの電池セル１４の正極および負極はセルケース１６の外部に露出しており、セルケース１６の左右に設けられた金属製の接続板２３に接続されている。それぞれの電池セル１４は、接続板２３によって、電気的に直列に接続されている。
【００３１】
制御基板１８は、セルケース１６の上方に配置されている。制御基板１８は、上下方向に直交する面に沿うように配置されている。制御基板１８は、例えばボルト等の締結具を介してセルケース１６に固定されている。制御基板１８の上面には、放電用プラス端子２４と、充放電用マイナス端子２５と、充電用プラス端子３１と、充放電用信号端子２６が設けられている。充放電用信号端子２６は、放電禁止信号端子３０と、充電制御信号端子３２を備えている。放電用プラス端子２４は、電池パック２を電動工具へ取り付けた場合に、電池パック２から電動工具へ電力を供給する際のプラス端子として使用される。充放電用マイナス端子２５は、電池パック２を電動工具へ取り付けた場合に、電池パック２から電動工具へ電力を供給する際のマイナス端子としても使用されるし、電池パック２を充電器４へ取り付けた場合に、充電器４から電池パック２へ電力を供給する際のマイナス端子としても使用される。充電用プラス端子３１は、電池パック２を充電器４へ取り付けた場合に、充電器４から電池パック２へ電力を供給する際のプラス端子として使用される。放電禁止信号端子３０は、電池パック２を電動工具へ取り付けた場合に、電池パック２から電動工具への放電禁止信号を伝達するために使用される。充電制御信号端子３２は、電池パック２を充電器４へ取り付けた場合に、電池パック２から充電器４への充電制御信号を伝達するために使用される。放電用プラス端子２４は、図１に示す上部ケース１０の上面に形成された充放電用第１開口２８の内部に配置される。充放電用マイナス端子２５は、上部ケース１０の上面に形成された充放電用第２開口２９の内部に配置される。充電用プラス端子３１と放電禁止信号端子３０は、上部ケース１０の上面に形成された充放電用第３開口３４の内部に配置される。充電制御信号端子３２は、上部ケース１０の上面に形成された充放電用第４開口３６から外部に露出している。電池パック２を電動工具に取り付ける際には、電池パック２を前後方向にスライドさせることによって、電動工具から伸びる矩形板状の３つの端子（図示せず）が、充放電用第１開口２８、充放電用第２開口２９および充放電用第３開口３４の内部にそれぞれ入り込んで、放電用プラス端子２４、充放電用マイナス端子２５および放電禁止信号端子３０とそれぞれ係合する。電池パック２を充電器４に取り付ける際には、電池パック２を前後方向にスライドさせることによって、充電器４から伸びる矩形板状の２つの端子（図示せず）が、充放電用第２開口２９および充放電用第３開口３４の内部にそれぞれ入り込んで、充放電用マイナス端子２５および充電用プラス端子３１とそれぞれ係合するとともに、充電器４の充電制御信号端子（図示せず）が、電池パック２の充電制御信号端子３２と係合する。
【００３２】
図４に示すように、セルケース１６の内部には、空気流路３８が形成されている。空気流路３８は、セルケース１６の後方上部に形成された給気ポート４０と、セルケース１６の前方上部に形成された前方排気ポート４２と、セルケース１６の前後方向中間部上部に形成された中間排気ポート４４に連通している。上部ケース１０の後方上面には、セルケース１６の給気ポート４０に対応して給気用開口４６が形成されている。上部ケース１０の前方上面には、排気用開口４８が形成されている。図２に示すように電池パック２を充電器４に取り付けた状態では、充電器４が内蔵するファン（図示せず）によって、上部ケース１０の給気用開口４６に空気が送り込まれる。給気用開口４６から送り込まれた空気は、給気ポート４０を介してセルケース１６の内部に流入し、空気流路３８を流れる。空気流路３８を流れる空気はセルケース１６内に収容された電池セル１４を冷却し、前方排気ポート４２および中間排気ポート４４からセルケース１６の外部に流れ出る。セルケース１６の外部に流れ出た空気は、制御基板１８を回り込んで、排気用開口４８から電池パック２の外部へ流れ出る。
【００３３】
図３に示すように、電池モジュール６において、ボタン基板２０と、導光部材２２は、セルケース１６の前方に配置されている。ボタン基板２０は、前後方向に対して直交する面に沿って配置されている。ボタン基板２０は、リード線５０を介して、制御基板１８に接続されている。導光部材２２は、ボタン基板２０の上方に配置されている。図１に示すように、下部ケース１２の前方には、ボタン基板２０に対応して押しボタン５２が配置されており、導光部材２２に対応して表示部５４が配置されている。表示部５４は、複数の表示窓５６を備えている。それぞれの表示窓５６は、矩形に形成されており、左右方向に並んで配置されている。また、制御基板１８の下面には、複数の表示窓５６に対応して、複数の発光素子５８（図１０参照）が配置されている。押しボタン５２が押下されると、複数の発光素子５８が、電池パック２の現在の充電電力量に対応した発光態様で発光する。それぞれの発光素子５８が発光した光は、導光部材２２を介して、対応する表示窓５６に照射される。
【００３４】
図５、図６に示すように、導光部材２２は、光の透過率が高い材料から構成される透光部材６０と、光の透過率が低い材料から構成される遮光部材６２を備えている。透光部材６０は、制御基板１８の発光素子５８に対向して配置される受光面６４と、表示部５４の表示窓５６に対向して配置される投光面６６を備えている。発光素子５８が発光した光は、受光面６４から透光部材６０の内部に入射し、投光面６６から表示窓５６へ照射される。仮に、電池パック２が導光部材２２を備えておらず、発光素子５８が発光した光が直接的に表示窓５６へ照射される構成とした場合、図７に示すように、発光している発光素子５８に対応する表示窓５６は、中央が明るく、周縁に向かうにつれて徐々に暗くなるように点灯する。これに対して、本実施例のように、電池パック２が導光部材２２を備えており、発光素子５８が発光した光が透光部材６０を介して表示窓５６に照射される構成とした場合、図８に示すように、発光している発光素子５８に対応する表示窓５６は、全体が均一な明るさとなるように点灯する。本実施例の電池パック２によれば、表示部５４の視認性をより向上させることができる。
【００３５】
図５、図６に示すように、遮光部材６２は、それぞれの透光部材６０の周囲を囲うように、透光部材６０を保持している。遮光部材６２は、隣接する透光部材６０の間を遮るように配置されている区分壁６８と、複数の透光部材６０の上部を覆うように配置されている上部壁７０と、複数の透光部材６０の下部を覆うように配置されている下部壁７２と、左右方向の最外部にある透光部材６０の側部を覆うように配置されている側壁７４を備えている。遮光部材６２の上部壁７０の後方には、制御基板１８の前端部において、制御基板１８の上面に当接する上部当接片７６が形成されている。遮光部材６２の左右の側壁７４には、前後方向に沿って形成されたリブ７８がそれぞれ形成されている。また、遮光部材６２の一方の側壁７４には、セルケース１６の前端部において、セルケース１６の側面に当接する側部当接片８０が形成されている。さらに、遮光部材６２の区分壁６８の後方には、区分壁６８から後方に向けて延びる延長壁８２が形成されている。
【００３６】
本実施例の電池パック２では、遮光部材６２が、隣接する透光部材６０の間を遮るように配置されている区分壁６８を備えているため、ある発光素子５８から対応する透光部材６０へ入射した光が、隣接する透光部材６０へ漏れ出てしまうことを防ぐことができる。
【００３７】
導光部材２２は、透光部材６０と遮光部材６２をダブルモールド成形することにより形成されている。すなわち、導光部材２２を形成する際には、まず遮光部材６２のみの外形形状を形成する型を用意して、モールド成形により遮光部材６２を形成する。そして、透光部材６０の外形形状を遮光部材６２とともに形成する型を用意して、モールド成形により透光部材６０を形成する。これによって、接着剤等を用いることなく、透光部材６０と遮光部材６２を隙間なく一体的に形成することができる。
【００３８】
図９、図１０に示すように、電池モジュール６に導光部材２２を取り付けた状態では、遮光部材６２の側壁７４のリブ７８が、セルケース１６の前部にリブ７８に対応して形成されたガイド溝８４に収容されるとともに、遮光部材６２の上部当接片７６が制御基板１８の上面と当接し、遮光部材６２の側部当接片８０がセルケース１６の側面と当接し、遮光部材６２の延長壁８２が制御基板１８の下面に当接する。導光部材２２は、上部当接片７６と延長壁８２によって制御基板１８を上下から挟み込むように制御基板１８に係合するため、導光部材２２と制御基板１８の位置ずれを防止することができる。また、導光部材２２は、リブ７８をガイド溝８４に収容し、さらに側部当接片８０をセルケース１６の側面に当接させてセルケース１６に係合するため、導光部材２２をセルケース１６に対して正確に位置決めできるとともに、導光部材２２とセルケース１６の位置ずれを防止することができる。
【００３９】
図１０に示すように、電池モジュール６に導光部材２２を取り付けた状態では、延長壁８２は制御基板１８の下面において、隣接して配置された発光素子５８の間を遮るように配置される。このような構成とすることによって、ある発光素子５８が発光した光が、別の発光素子５８に対応する透光部材６０の受光面６４に入射してしまうことを防ぐことができる。
【００４０】
図１１に示すように、導光部材２２の上部壁７０および上部当接片７６は、制御基板１８の発光素子５８と上部ケース１０の排気用開口４８の間を遮るように配置されている。このような構成とすることによって、発光素子５８が発光した光が、排気用開口４８を介して電池パック２の外部に漏れ出てしまうことを防ぐことができる。特に、本実施例の電池パック２では、電池パック２を上方から平面視したときに、排気用開口４８が発光素子５８と表示窓５６の間に位置しているため、仮に、導光部材２２が上部壁７０および上部当接片７６を備えていない場合、排気用開口４８から発光素子５８の光が容易に漏れ出てしまう。導光部材２２が上部壁７０および上部当接片７６を備えていることで、排気用開口４８から発光素子５８の光が漏れ出ることを確実に防ぐことができる。
【００４１】
本実施例の電池パック２では、互いに対応する発光素子５８と表示窓５６に関して、発光素子５８の中心と表示窓５６の中心を結ぶ直線に対して、表示窓５６が傾斜して配置されており、表示窓５６の上部は表示窓５６の下部よりも発光素子５８に近い位置に配置されている。このため、仮に、透光部材６０の投光面６６が受光面６４に対して平行となっていると、表示窓５６の上部が明るくなり、表示窓５６の下部が暗くなるように、表示窓５６が点灯してしまう。これに対して、本実施例の電池パック２では、表示窓５６の傾斜に合わせて、透光部材６０の投光面６６が受光面６４に対して傾斜しているため、表示窓５６を均一な明るさで点灯させることができる。表示部５４の視認性をより向上させることができる。
【００４２】
なお、図１２に示すように、アウターケース８の下部ケース１２に、電池パック２を充電器４または電動工具（図示せず）に取り付けた場合に外部から視認可能な開口８６が形成されていてもよい。この場合、導光部材２２の下部壁７２の後方に、制御基板１８の発光素子５８と下部ケース１２の開口８６の間を遮るように下部延長壁（図示せず）を形成することで、発光素子５８が発光した光が、開口８６を介して電池パック２の外部に漏れ出てしまうことを防ぐことができる。
【００４３】
上記の実施例では、電池モジュール６が、それぞれ円筒形状の二次電池セルである複数の電池セル１４を備える構成を例として説明したが、電池モジュール６が、ラミネート型の二次電池セルを備える構成としてもよい。
【００４４】
上記の実施例では、透光部材６０と遮光部材６２をダブルモールド成形して導光部材２２を形成する場合を例として説明したが、透光部材６０と遮光部材６２をそれぞれ別個に成形しておいて、その後に両者を組み合わせることで導光部材２２を形成してもよい。
【００４５】
上記の実施例では、アウターケース８の上部ケース１０や下部ケース１２に開口部が形成されている場合を例として説明したが、アウターケース８が上部ケース１０や下部ケース１２とは別に、開口部が形成された部材を備えていてもよい。
【００４６】
上記の実施例では、電池パック２が電動工具に着脱可能に取り付け可能であって、電池パック２が電動工具に電力を供給する構成を例として説明したが、電池パック２が他の電子機器に着脱可能に取り付け可能であって、電池パック２が電子機器に電力を供給する構成としてもよい。
【００４７】
以上、本発明の具体例を詳細に説明したが、これらは例示に過ぎず、特許請求の範囲を限定するものではない。特許請求の範囲に記載の技術には、以上に例示した具体例を様々に変形、変更したものが含まれる。
【００４８】
本明細書または図面に説明した技術要素は、単独であるいは各種の組合せによって技術的有用性を発揮するものであり、出願時請求項記載の組合せに限定されるものではない。また、本明細書または図面に例示した技術は複数目的を同時に達成し得るものであり、そのうちの一つの目的を達成すること自体で技術的な有用性を持つものである。
【符号の説明】
【００４９】
２    ：電池パック
４    ：充電器
６    ：電池モジュール
８    ：アウターケース
１０  ：上部ケース
１２  ：下部ケース
１４  ：電池セル
１６  ：セルケース
１８  ：制御基板
２０  ：ボタン基板
２２  ：導光部材
２３  ：接続板
２４  ：放電用プラス端子
２５  ：充放電用マイナス端子
２６  ：充放電用信号端子
２８  ：充放電用第１開口
２９  ：充放電用第２開口
３０  ：放電禁止信号端子
３１  ：充電用プラス端子
３２  ：充電制御信号端子
３４  ：充放電用第３開口
３６  ：充放電用第４開口
３８  ：空気流路
４０  ：給気ポート
４２  ：前方排気ポート
４４  ：中間排気ポート
４６  ：給気用開口
４８  ：排気用開口
５０  ：リード線
５２  ：押しボタン
５４  ：表示部
５６  ：表示窓
５８  ：発光素子
６０  ：透光部材
６２  ：遮光部材
６４  ：受光面
６６  ：投光面
６８  ：区分壁
７０  ：上部壁
７２  ：下部壁
７４  ：側壁
７６  ：上部当接片
７８  ：リブ
８０  ：側部当接片
８２  ：延長壁
８４  ：ガイド溝
８６  ：開口
【図１】
0006594649.tif 000002
【図２】
0006594649.tif 000003
【図３】
0006594649.tif 000004
【図４】
0006594649.tif 000005
【図５】
0006594649.tif 000006
【図６】
0006594649.tif 000007
【図７】
0006594649.tif 000008
【図８】
0006594649.tif 000009
【図９】
0006594649.tif 000010
【図１０】
0006594649.tif 000011
【図１１】
0006594649.tif 000012
【図１２】
0006594649.tif 000013